(57)【要約】【課題】高い照明効率にてキートップを背面側から照明することが可能な電子機器を提供する。【解決手段】本発明に係る電子機器は、複数のドームスイッチ31，32が設けられた基板３と、ドームスイッチ31，32を押圧するための複数のキートップ21，22と、基板３とキートップ21，22との間に介在するラバーシート４とを具え、基板３の表面が導光シート５によって覆われると共に、基板３にはＬＥＤ６が搭載され、該ＬＥＤ６から発せられる光が導光シート５の内部を通過してキートップ21，22の背部に導かれる。ここで、ラバーシート４は導光性を有し、該ラバーシート４の背面には、複数のキートップ21，22の近傍位置にそれぞれ、ＬＥＤ６から発せられてラバーシート４と導光シート５との間を通過する光が入射すべき導光性リブ71，72が突設されている。【選択図】図３
2011040202.tif 000002
【特許請求の範囲】
【請求項１】
１又は複数のスイッチが設けられた基板と、前記スイッチを押圧するための１又は複数のキートップと、前記基板とキートップとの間に介在するラバーシートとを具え、前記基板の表面が導光層によって覆われると共に、前記基板には少なくとも１つの発光素子が搭載され、該発光素子から発せられる光が前記導光層の内部を通過してキートップの背部に導かれる電子機器において、
前記ラバーシートは導光性を有し、該ラバーシートの背面には、少なくとも１つのキートップの近傍位置に、前記発光素子から発せられてラバーシートと導光層との間を通過する光が入射すべき導光性リブが突設されていることを特徴とする電子機器。
【請求項２】
前記キートップの背面には、該キートップの押圧力をスイッチに伝達するための突起部が形成される一方、前記ラバーシートには、該突起部を貫挿させるべき開口が形成されており、前記導光性リブは、該開口を包囲した形状を有している請求項１に記載の電子機器。
【請求項３】
前記導光性リブは、前記発光素子から発せられた光がラバーシートと導光層との間を通過して直接入射する形状又は位置を有している請求項１又は請求項２に記載の電子機器。
【発明の詳細な説明】
【技術分野】
【０００１】
本発明は、キートップを背面側から照射することが可能な電子機器に関する。
【背景技術】
【０００２】
この種の電子機器は、１又は複数のドームスイッチが設けられた基板と、該ドームスイッチを押圧するための１又は複数のキートップと、基板とキートップとの間に介在するラバーシートとを具え、基板には、キートップを背面側から照明するための発光素子、例えばＬＥＤ（Light  Emitting  Diode）が搭載されている。
【０００３】
従来から、複数のキートップが配備されている電子機器において、各キートップを照明するときの強度を均一にするべく、基板の表面を導光シートによって覆い、基板上の発光素子から発せられる光を、導光シートの内部を通過させてキートップの背部に導くことが提案されている（例えば、特許文献１参照）。
【先行技術文献】
【特許文献】
【０００４】
【特許文献１】特開２００８−２２６５７６号公報
【発明の概要】
【発明が解決しようとする課題】
【０００５】
しかしながら、従来の電子機器においては、発光素子から発せられた光の一部が、導光シートに入射せずに漏れて、キートップの背部に導かれることなく無駄になっていた。このため、キートップを背面側から照明するときの照明効率が低下する問題があった。
【０００６】
そこで本発明の目的は、高い照明効率にてキートップを背面側から照明することが可能な電子機器を提供することである。
【課題を解決するための手段】
【０００７】
本発明に係る電子機器は、１又は複数のスイッチが設けられた基板と、前記スイッチを押圧するための１又は複数のキートップと、前記基板とキートップとの間に介在するラバーシートとを具え、前記基板の表面が導光層によって覆われると共に、前記基板には少なくとも１つの発光素子が搭載され、該発光素子から発せられる光が前記導光層の内部を通過してキートップの背部に導かれる。ここで、前記ラバーシートは導光性を有し、該ラバーシートの背面には、少なくとも１つのキートップの近傍位置に、前記発光素子から発せられてラバーシートと導光層との間を通過する光が入射すべき導光性リブが突設されている。
【０００８】
上記電子機器においては、発光素子から発せられた光が導光層の内部を通過してキートップの背部に導かれ、該光によってキートップが背面側から照明されることになる。一方、発光素子から発せられた光のうち導光層に入射せずに漏れた光は、ラバーシートと導光層との間を通過して導光性リブに入射することになる。ここで、ラバーシートと導光性リブは何れも導光性を有しているので、導光性リブに入射した光は、導光性リブとラバーシートの内部を通過してキートップの背部に導かれ、該背部に導かれた光によってキートップが照明されることになる。
よって、上記電子機器によれば、発光素子から発せられた光を効率良くキートップへ導くことが出来、キートップを背面側から照明するときの照明効率が向上することになる。
【０００９】
上記電子機器の具体的構成において、前記キートップの背面には、該キートップの押圧力をスイッチに伝達するための突起部が形成される一方、前記ラバーシートには、該突起部を貫挿させるべき開口が形成されており、前記導光性リブは、該開口を包囲した形状を有している。
【００１０】
上記電子機器の他の具体的構成において、前記導光性リブは、前記発光素子から発せられた光がラバーシートと導光層との間を通過して直接入射する形状又は位置を有している。
【発明の効果】
【００１１】
本発明に係る電子機器によれば、高い照明効率にてキートップを背面側から照明することが可能である。
【図面の簡単な説明】
【００１２】
【図１】図１は、本発明の一実施形態に係るデジタルカメラを示す分解斜視図である。
【図２】図２は、該デジタルカメラの要部を拡大して示した平面図である。
【図３】図３は、図２に示されるＡ−Ａ線に沿う断面図である。
【図４】図４は、上記デジタルカメラの操作部が有するラバーシートを表面側から見た平面図である。
【図５】図５は、該ラバーシートを背面側から見た平面図である。
【発明を実施するための形態】
【００１３】
以下、本発明をデジタルカメラに実施した形態につき、図面に沿って具体的に説明する。
図１に示す様に、本発明の一実施形態に係るデジタルカメラは、機器本体(１)と、３つのキートップ(21)〜(23)を有する操作部(20)とを具えている。機器本体(１)は、シャーシ(11)にケース(12)を取り付けて構成されており、ケース(12)の表面には、液晶表示パネル(13)が配備されると共に、図２に示す如くケース(12)の表面に操作部(２)の３つのキートップ(21)〜(23)を露出させるための２つの窓(141)(142)が形成されている。
【００１４】
上記３つのキートップ(21)〜(23)は、第１キートップ(21)がリング形状を有しており、該第１キートップ(21)の内側に第２キートップ(22)が配置され、第１キートップ(21)の上方に第３キートップ(23)が配置されている。そして、第１キートップ(21)と第２キートップ(22)が、一方の窓(141)からケース(12)の表面に露出し、第３キートップ(23)が、他方の窓(142)からケース(12)の表面に露出している。
【００１５】
液晶表示パネル(13)には、上記デジタルカメラにより撮影した画像や、撮影モードを設定又は変更するための画面等が表示される。又、操作部(２)は、撮影画像を液晶表示パネル(13)に表示させる指令や、撮影モードを設定又は変更する指令を入力するためのものであり、３つのキートップ(21)〜(23)を押圧することにより、指令の入力が実行される。
【００１６】
図１に示す様に、操作部(２)は、上記３つのキートップ(21)〜(23)の他に、該３つのキートップ(21)〜(23)の背面側に配備された基板(３)と、該基板(３)と３つのキートップ(21)〜(23)との間に介在するラバーシート(４)とを有しており、３つのキートップ(21)〜(23)は、ラバーシート(４)の表面に貼着固定されている。又、ラバーシート(４)は導光性を有している。
【００１７】
基板(３)はシャーシ(11)に固定されており、基板(３)の表面には、円陣に並んだ４つの第１ドームスイッチ(31)〜(31)と、該４つの第１ドームスイッチ(31)〜(31)の内側に位置する１つの第２ドームスイッチ(32)と、４つの第１ドームスイッチ(31)〜(31)に対して上方に位置する２つの第３ドームスイッチ(33)(33)とが設けられている。
【００１８】
４つの第１ドームスイッチ(31)〜(31)には第１キートップ(21)が対応しており、図３に示す様に、第１キートップ(21)の背面には、該第１キートップ(21)に付加された押圧力を、押圧された位置に応じて第１ドームスイッチ(31)に伝達するための４つの突起部(211)〜(211)が形成されている。尚、図３には、図２に示されるＡ−Ａ線上に位置する２つの突起部(211)(211)のみが示されている。
又、ラバーシート(４)には、図４に示す様に、第１キートップ(21)の４つの突起部(211)〜(211)を貫挿させるべき４つの開口(41)〜(41)が形成されている。
【００１９】
従って、第１キートップ(21)を押圧することにより、ラバーシート(４)が弾性変形し、押圧された位置に対応する突起部(211)を介して、該突起部(211)に対応する第１ドームスイッチ(31)が押圧されることになる。これにより、押圧された第１ドームスイッチ(31)はオン状態に設定されることになる。
一方、第１キートップ(21)に付加されていた押圧力が取り除かれると、ラバーシート(４)は変形状態から元の状態へ回復し、これによりオン状態に設定されていた第１ドームスイッチ(31)はオフ状態に移行することになる。
【００２０】
１つの第２ドームスイッチ(32)には第２キートップ(22)が対応しており、図３に示す様に、第２キートップ(22)の背面には、該第２キートップ(22)に付加された押圧力を第２ドームスイッチ(32)に伝達するための突起部(221)が形成されている。
又、ラバーシート(４)には、図４に示す様に、第２キートップ(22)の突起部(221)を貫挿させるべき開口(42)が形成されている。
【００２１】
従って、第２キートップ(22)を押圧することにより、ラバーシート(４)が弾性変形し、該第２キートップ(22)の突起部(221)を介して第２ドームスイッチ(32)が押圧されることになる。これにより、押圧された第２ドームスイッチ(32)はオン状態に設定されることになる。
一方、第２キートップ(22)に付加されていた押圧力が取り除かれると、ラバーシート(４)は変形状態から元の状態へ回復し、これによりオン状態に設定されていた第２ドームスイッチ(32)はオフ状態に移行することになる。
【００２２】
２つの第３ドームスイッチ(33)(33)には第３キートップ(23)が対応しており、第３キートップ(23)の背面には、該第３キートップ(23)に付加された押圧力を、押圧された位置に応じて第３ドームスイッチ(33)に伝達するための２つの突起部（図示せず）が形成されている。
又、ラバーシート(４)には、図４に示す様に、第３キートップ(23)の２つの突起部を貫挿させるべき２つの開口(43)〜(43)が形成されている。
【００２３】
従って、第３キートップ(23)を押圧することにより、ラバーシート(４)が弾性変形し、押圧された位置に対応する突起部を介して、該突起部に対応する第３ドームスイッチ(33)が押圧されることになる。これにより、押圧された第３ドームスイッチ(33)はオン状態に設定されることになる。
一方、第３キートップ(23)に付加されていた押圧力が取り除かれると、ラバーシート(４)は変形状態から元の状態へ回復し、これによりオン状態に設定されていた第３ドームスイッチ(33)はオフ状態に移行することになる。
【００２４】
図３に示す様に、基板(３)の表面には、該表面と第１乃至第３ドームスイッチ(31)〜(33)の表面とを覆う１枚の導光シート(５)が貼着されると共に、該導光シート(５)の上端及び下端に近接した位置に一対のＬＥＤ(６)(６)が設けられている。従って、一対のＬＥＤ(６)(６)から発せられる光は、導光シート(５)の内部を通過して第１乃至第３キートップ(21)〜(23)の背面側に導かれることになる。
【００２５】
又、ラバーシート(４)と導光シート(５)との間には空間が形成されており、一対のＬＥＤ(６)(６)から発せられる光のうち導光シート(５)に入射せずに漏れた光は、前記空間を通って第２キートップ(22)の近傍位置まで到達することが可能である。
【００２６】
図５に示す様に、ラバーシート(４)の背面には、第１キートップ(21)の突起部(211)が貫挿される各開口(41)の近傍位置に第１導光性リブ(71)が突設され、第２キートップ(22)の突起部(221)が貫挿される開口(42)の近傍位置に第２導光性リブ(72)が突設され、第３キートップ(23)の突起部が貫挿される各開口(43)の近傍位置に第３導光性リブ(73)が突設されている。従って、ラバーシート(４)の背面には、４つの第１導光性リブ(71)〜(71)と、１つの第２導光性リブ(72)と、２つの第３導光性リブ(73)(73)とが存在している。
【００２７】
４つの第１導光性リブ(71)〜(71)は何れもリング形状を有し、各第１導光性リブ(71)は、これに対応する開口(41)を包囲している。第２導光性リブ(72)はリング形状を有し、これに対応する開口(42)を包囲している。２つの第３導光性リブ(73)は何れもＣ字形状を有し、各第３導光性リブ(73)は、これに対応する開口(43)を包囲している。
【００２８】
又、図３に示す様に、第２導光性リブ(72)は、第１導光性リブ(71)の高さ寸法よりも大きな高さ寸法を有している。図示していないが、第２導光性リブ(72)は更に、第３導光性リブ(73)の高さ寸法よりも大きな高さ寸法を有している。
【００２９】
従って、図３において一点鎖線矢印により示される様に、一対のＬＥＤ(６)(６)から発せられてラバーシート(４)と導光シート(５)との間を通過する光は、その一部が第１導光性リブ(71)又は第３導光性リブ(73)に直接入射すると共に、他の一部が、第１導光性リブ(71)及び第３導光性リブ(73)に遮断されることなく第２導光性リブ(72)に直接入射することになる。
【００３０】
上記デジタルカメラにおいては、一対のＬＥＤ(６)(６)から発せられた光が導光シート(５)の内部を通過して第１乃至第３キートップ(21)〜(23)の背部に導かれ、該光によって第１乃至第３キートップ(21)〜(23)が背面側から照明されることになる。
一方、一対のＬＥＤ(６)(６)から発せられた光のうち導光シート(５)に入射せずに漏れた光は、ラバーシート(４)と導光シート(５)との間を通過して第１乃至第３導光性リブ(71)〜(73)に入射することになる。ここで、ラバーシート(４)と第１乃至第３導光性リブ(71)〜(73)は何れも導光性を有しているので、第１乃至第３導光性リブ(71)〜(73)に入射した光は、該導光性リブ(71)〜(73)とラバーシート(４)の内部を通過して第１乃至第３キートップ(21)〜(23)の背部に導かれ、該背部に導かれた光によって第１乃至第３キートップ(21)〜(23)が照明されることになる。
【００３１】
よって、上記デジタルカメラによれば、一対のＬＥＤ(６)(６)から発せられた光を効率良く第１乃至第３キートップ(21)〜(23)へ導くことが出来、第１乃至第３キートップ(21)〜(23)を背面側から照明するときの照明効率が向上することになる。
【００３２】
尚、本発明の各部構成は上記実施形態に限らず、特許請求の範囲に記載の技術的範囲内で種々の変形が可能である。上記実施形態においては、全ての第１乃至第３キートップ(21)〜(23)の近傍位置に導光性リブを設けたが、例えば特定のキートップの近傍位置にのみ導光性リブを設けてもよい。
【００３３】
又、導光性リブの形状又は位置は、上記実施形態に限定されるものではなく、該形状又は位置には、ＬＥＤ(６)から発せられてラバーシート(４)と導光シート(５)との間を通過する光を入射させることが可能な種々の形状又は位置を採用することが出来る。
【００３４】
更に、キートップ及びドームスイッチの個数、並びにＬＥＤの個数は、上記実施形態に限定されるものではなく、１つであってもよいし複数であってもよい。ドームスイッチは、キートップの押圧により動作するスイッチの一例であり、ドームスイッチに替えて、押ボタンスイッチやラバースイッチ、更には圧力を付加することにより抵抗値が変化する加圧導電ゴムを用いて形成されたスイッチ等を採用することが出来る。又、ＬＥＤに替えて、種々の発光素子を用いることが出来る。
【００３５】
更に又、上記デジタルカメラに採用した各種構成は、携帯電話機等、種々の電子機器に適用することが出来る。
【符号の説明】
【００３６】
(21)  第１キートップ
(211) 突起部
(22)  第２キートップ
(221) 突起部
(23)  第３キートップ
(３)  基板
(31)  第１ドームスイッチ
(32)  第２ドームスイッチ
(33)  第３ドームスイッチ
(４)  ラバーシート
(５)  導光シート（導光層）
(６)  ＬＥＤ（発光素子）
(71)  第１導光性リブ
(72)  第２導光性リブ
(73)  第３導光性リブ
【図１】
2011040202.tif 000003
【図２】
2011040202.tif 000004
【図３】
2011040202.tif 000005
【図４】
2011040202.tif 000006
【図５】
2011040202.tif 000007